【事件の表示】
　平成１１年商標登録願第１０９０２６号拒絶査定に対する審判事件について、次のとおり審決する。
【結　論】
　原査定を取り消す。
　本願商標は、登録すべきものとする。
【理　由】
１　本願商標
　本願商標は、「ＺＩＯ　ｓｏｆｔｗａｒｅ，　ｉｎｃ．」の文字を標準文字とし、第９類「ＣＴスキャナーで得た診断・治療用画像データの回転・拡大等をリアルタイム処理で二次元・三次元化するための画像処理システムに関するコンピュータプログラムを記憶させた記憶媒体，その他の診断・治療用画像データの画像処理システムに関するコンピュータプログラムを記憶させた記憶媒体，その他の画像データの画像処理システムに関するコンピュータプログラムを記憶させた記憶媒体，ＣＴスキャナーで得た診断・治療用画像データの回転・拡大等をリアルタイム処理で二次元・三次元化するための画像処理システムに関するコンピュータプログラムを記憶させたパーソナルコンピュータ，その他の診断・治療用画像データの画像処理システムに関するコンピュータプログラムを記憶させたパーソナルコンピュータ，その他の画像データの画像処理システムに関するコンピュータプログラムを記憶させたパーソナルコンピュータ，ワークステーション本体，データ入力用キーボード，テンキー付マウス，その他のマウス，レーザープリンター，インクジェット式プリンター，液晶ディスプレイモニタ，その他のコンピュータ用モニタ，その他の電子応用機械器具及びその部品，電気通信機械器具，測定機械器具」、第１０類「電子応用医療診断用機械器具，その他の医療用機械器具」を指定商品として平成１１年１１月３０日に登録出願されたものである。
　
２　引用商標
　原査定において、本願の拒絶の理由に引用した登録第１４０５３２６号商標（以下「引用商標１」という。）は、「ジオ」の片仮名文字を横書きしてなり、昭和５０年６月２３日登録出願、第１１類「電気機械器具、電気通信機械器具、電子応用機械器具（医療機械器具に属するものを除く）電気材料」を指定商品として昭和５５年１月３１日に設定登録され、その後２回にわたり商標権存続期間の更新登録がなされ、現に権利が有効に存続しているものである。
　同じく登録第２５７６５７２号商標（以下「引用商標２」という。）は、「ＧＩＯ」の欧文字を横書きしてなり、昭和６３年１０月１４日登録出願、第１０類「測定機械器具（電子応用機械器具に属するものおよび電気磁気測定器を除く）」を指定商品として平成５年９月３０日に設定登録されたものである。
　同じく登録第４２６２９９４号商標（以下「引用商標３」という。）は、別掲のとおりの構成よりなり、平成９年４月１日登録出願、第６類「金属製包装用容器（「金属製栓・金属製ふた」を除く。），金属製栓，金属製ふた，金網，ワイヤロープ，金属製家庭用水槽，金属製工具箱，金属製貯金箱，金属製のきゃたつ及びはしご，金属製のネームプレート及び標札，金属製のタオル用ディスペンサー，金属製帽子掛けかぎ，金属製郵便受け，金属製のバックル，アイゼン」、第７類「印刷用又は製本用の機械器具，自動スタンプ打ち器」、第８類「手動工具（「すみつぼ類・皮砥・鋼砥・砥石」を除く。），すみつぼ類，砥石，手動利器（「刀剣」を除く。），かつお節削り器，角砂糖挟み，缶切，くるみ割り器（貴金属製のものを除く。），スプーン，フォーク，アイロン（電気式のものを除く。），糸通し器，チャコ削り器，水中ナイフ，五徳，火ばし，殺虫剤用噴霧器（手持ち工具に当たるものに限る。），ピンセット」、第９類「理化学機械器具，測定機械器具，写真機械器具，映画機械器具，光学機械器具，眼鏡，加工ガラス（建築用のものを除く。），レコード，メトロノーム，スロットマシン，自動車用シガーライター，金銭登録機，硬貨の計数用又は選別用の機械，写真複写機，手動計算機，製図用又は図案用の機械器具，タイムスタンプ，タイムレコーダー，電気計算機，ウエイトベルト，ウエットスーツ，浮袋，エアタンク，水泳用浮き板，家庭用テレビゲームおもちゃ」、 第１２類「船舶並びにその部品及び附属品（「エアクッション艇」を除く。），自動車並びにその部品及び附属品，二輪自動車・自転車並びにそれらの部品及び附属品，乳母車，そり，車いす，タイヤ又はチューブの修繕用ゴムはり付け片」、第１５類「楽器，演奏補助品，音さ」、第１６類「紙製包装用容器，家庭用食品包装フィルム，紙製ごみ収集用袋，プラスチック製ごみ収集用袋，衛生手ふき，紙製タオル，紙製手ふき，紙製ハンカチ，型紙，裁縫用チャコ，紙製のぼり，紙製旗，荷札，かるた，歌がるた，トランプ，花札，事務用又は家庭用ののり及び接着剤，青写真複写機，あて名印刷機，印字用インクリボン，こんにゃく版複写機，自動印紙はり付け機，事務用電動式ホッチキス，事務用封かん機，消印機，製図用具，タイプライター，チェックライター，謄写版，凸版複写機，文書細断機，郵便料金計器，輪転謄写機，装飾塗工用ブラシ，紙製簡易買物袋」、第２０類「木製の包装用容器（「コルク製栓・木製栓・木製ふた」を除く。），竹製の包装用容器，プラスチック製包装用葉，コルク製栓，プラスチック製栓，プラスチック製ふた，木製栓，木製ふた，うちわ，せんす，買物かご，家庭用水槽（金属製又は石製のものを除く。），きゃたつ及びはしご（金属製のものを除く。），工具箱（金属製のものを除く。），ししゅう用枠，植物の茎支持具，ストロー，盆（金属製のものを除く。），スリーピングバッグ，タオル用ディスペンサー（金属製のものを除く。），ネームプレート及び標札（金属製のものを除く。），旗ざお，ハンガーボード，帽子掛けかぎ（金属製のものを除く。），洋服飾り型類，郵便受け（金属製又は石製のものを除く。），揺りかご，幼児用歩行器，麦わら，竹，べっこう，さん��」、 第２１類「ガラス基礎製品（建築用のものを除く。），なべ類，コーヒー沸かし（電気式又は貴金属製のものを除く。），鉄瓶，やかん，食器類（貴金属製のものを除く。），アイスペール，泡立て器，こし器，こしょう入れ・砂糖入れ及び塩振り出し容器（貴金属製のものを除く。），卵立て（貴金属製のものを除く。），ナプキンホルダー及びナプキンリング（貴金属製のものを除く。），盆（貴金属製のものを除く。），ようじ入れ（貴金属製のものを除く。），ざる，シェーカー，しゃもじ，手動式のコーヒー豆ひき器及びこしょうひき，じょうご，すりこぎ，すりばち，ぜん，栓抜，大根卸し，タルト取り分け用へら，なべ敷き，はし，はし箱，ひしゃく，ふるい，まな板，麺棒，焼き網，ようじ，レモン絞り器，ワッフル焼き型（電気式のものを除く。），清掃用具及び洗濯用具，魚ぐし，携帯用アイスボックス，米びつ，食品保存用ガラス瓶，水筒，魔法瓶，デンタルフロス，金ブラシ，洋服ブラシ，靴ブラシ，靴べら，靴磨き布，軽便靴クリーナー，シューツリー，ガラス製包装用容器（「ガラス製栓・ガラス製ふた」を除く。），陶磁製包装用容器，ガラス製ふた，アイロン台，霧吹き，こて台，へら台，植木鉢，家庭園芸用の水耕式植物栽培器，じょうろ，家庭用燃え殻ふるい，紙タオル取り出し用金属製箱，せっけん用ディスペンサー，トイレットペーパーホルダー，貯金箱（金属製のものを除く。），ねずみ取り器，はえたたき，ろうそく消し及びろうそく立て（貴金属製のものを除く。），コッフェル」、第２２類「網類（金属製又は石綿製のものを除く。），布製包装用容器，わら製包装用容器，ザイル，登山用又はキャンプ用のテント，おがくず，もみがら」、第２５類「ガーター，靴下止め，ズボンつり，バンド，ベルト，靴類（「靴合わせくぎ・靴くぎ・靴の引き手・靴びょう・靴保護金具」を除く。），靴合わせくぎ，靴くぎ，靴の引き手，靴びょう，靴保護金具，げた，草履類，仮装用衣服，運動用特殊衣服，運動用特殊靴（「乗馬靴」を除く。）」、第２７類「体操用マット」、第２８類「遊戯用器具，囲碁用具，将棋用具，さいころ，すごろく，ダイスカップ，ダイヤモンドゲーム，チェス用具，チェッカー用具，手品用具，ドミノ用具，マージャン用具，おもちゃ，人形，運動用具，スキーワックス，釣り具」、第３１類「あわ，きび，ごま，そば，とうもろこし，ひえ，麦，もろこし，コプラ，食用魚介類（生きているものに限る。），海藻類，獣類・魚類（食用のものを除く。）・鳥類及び昆虫類（生きているものに限る。），飼料，釣り用餌，果実，野菜（「茶の葉」を除く。），茶の葉，糖料作物，種子類，木，草，芝，ドライフラワー，苗，苗木，花，盆栽」を指定商品として平成１１年４月１６日に設定登録されたものである。
そして、指定商品中第２１類「食器類（貴金属製のものを除く。），アイスペール，泡立て器，こし器，こしょう入れ・砂糖入れ及び塩振り出し容器（貴金属製のものを除く。），卵立て（貴金属製のものを除く。），ナプキンホルダー及びナプキンリング（貴金属製のものを除く。），盆（貴金属製のものを除く。），ようじ入れ（貴金属製のものを除く。），ざる，シェーカー，しゃもじ，手動式のコーヒー豆ひき器及びこしょうひき，じょうご，すりこぎ，すりばち，ぜん，栓抜，大根卸し，タルト取り分け用へら，なべ敷き，はし，はし箱，ひしゃく，ふるい，まな板，麺棒，焼き網，ようじ，レモン絞り器，ワッフル焼き型（電気式のものを除く。），清掃用具及び洗濯用具，魚ぐし，金ブラシ，靴ブラシ，靴べら，靴磨き布，軽便靴クリーナー，シューツリー，アイロン台，霧吹き，こて台，へら台，ろうそく消し及びろうそく立て（貴金属製のものを除く。）」及び第２５類「ガーター，靴下止め，ズボンつり，バンド，ベルト，靴類（「靴合わせくぎ・靴くぎ・靴の引き手・靴びょう・靴保護金具」を除く。），靴合わせくぎ，靴くぎ，靴の引き手，靴びょう，靴保護金具，げた，草履類」について商標登録を無効にする旨の審決が確定し、その後、第９類「眼鏡」について商標登録を取り消す旨の審決が確定し、それぞれの登録がなされているものである。
　同じく登録第４３４７０３８号商標（以下「引用商標４」という。）は、別掲のとおりの構成よりなりなり、平成１０年１０月６日登録出願、第９類「電気通信機械器具，電子応用機械器具及びその部品」を指定商品として平成１１年１２月２４日に設定登録されたものである。
　
３　当審の判断
　本願商標は、上記のとおりの構成よりなるところ、その構成中の「ｉｎｃ．」の文字は、「株式会社」等を意味する英語「ｉｎｃｏｒｐｏｒａｔｅｄ」の略語と理解・認識されるものであるから、請求人の商号を英文表記したものと認められる。
　そうとすれば、商号商標をもって商品の出所機能を果たさせようとする場合には、商標を一体的に捉えて称呼されるというのが相当である。
　してみれば、本願商標からは「ザイオソフトウェアインク」もしくは「ジオソフトウェアインク」の他に、取引上、法人格を表示する「ｉｎｃ．」の文字部分を省略して「ザイオソフトウェア」もしくは「ジオソフトウェア」の称呼を生ずるものであり、本願商標より「ＺＩＯ」の文字部分のみを取り出して「ザイオ」もしくは「ジオ」と称呼される特段の理由はないものである。
　したがって、本願商標より、「ザイオ」もしくは「ジオ」の称呼をも生ずるとし、そのうえで、本願商標と引用商標１ないし引用商標４が称呼上類似するものとして、本願商標を商標法第４条第１項第１１号に該当するとした原査定は取り消しを免れない。
　その他、本願について拒絶の理由を発見しない。
　よって、結論のとおり審決する。